(57)【要約】      （修正有）【課題】最も壊れやすい装飾部材をしっかりと確実に固定する。【解決手段】時計の文字盤アセンブリであって、上に足部４が固定されたベースプレート１を備え、３次元装飾体を支持し、３次元装飾体は、ベースプレート１から離れた所にあって少なくとも１つの足部４を介してベースプレート１に固定された少なくとも１つの段違い部材７を備えるとともに、少なくとも１つのブッシュ６を備え、このブッシュ６は、上方支持部４６の上に嵌め込まれてこの足部４に備わっている肩部４７と当接するように設けられ、文字盤アセンブリは、文字盤アセンブリに備わっている全ブッシュ６を嵌め込むために使用される取り外し可能な備品を備えるとともに、各足部４に備わっている下方支持部４９の向かい側に、この下方支持部４９の支持ピンを備えている。【選択図】図５
2018100964.tif 000002
【特許請求の範囲】
【請求項１】
上に足部（４）が直接または間接的に固定されたベースプレート（１）を備えている時計の文字盤アセンブリであって、前記文字盤アセンブリ（１０）は、３次元装飾体を備え、前記３次元装飾体は、前記ベースプレート（１）から離れた所にあって少なくとも１つの前記足部（４）を介して前記ベースプレート（１）に固定された少なくとも１つの段違い部材（７）を備えている、文字盤アセンブリにおいて、少なくとも１つの前記段違い部材（７）は少なくとも１つのブッシュ（６）を備え、前記ブッシュは、前記ブッシュに備わっている上方支持部（６９）に当接させ、１つの前記足部（４）に備わっている上方支持部（４６）に当接させ、前記足部（４）に備わっている肩部（４７）に当接させて嵌め込むように設けられることを特徴とする、文字盤アセンブリ（１０）。
【請求項２】
少なくとも１つの前記段違い部材（７）は、前記単一のブッシュ（６）のみを備えていることを特徴とする、請求項１に記載の文字盤アセンブリ（１０）。
【請求項３】
前記単一のブッシュ（６）のみを備えている少なくとも１つの前記段違い部材（７）は、前記単一のブッシュ（６）に対して片持ち梁風に固定されることを特徴とする、請求項２に記載の文字盤アセンブリ（１０）。
【請求項４】
少なくとも１つの前記段違い部材（７）は、複数の前記ブッシュ（６）を備えていることを特徴とする、請求項１に記載の文字盤アセンブリ（１０）。
【請求項５】
１つの前記ブッシュ（６）を受けるために１つの前記上方支持部（４６）および１つの前記肩部（４７）を備えている少なくとも１つの前記足部（４）は、前記ベースプレート（１）に備わっている内ねじ山（１４）と協働するように設けられた外ねじ山（４１）、および前記ベースプレート（１）に備わっている相補型の制限ストッパ面（１５０）と制限ストッパとして協働するように設けられた支持面（４５）も備え、前記支持面は、前記足部（４）に備わっている下方支持部（４９）の反対側にあることを特徴とする、請求項１に記載の文字盤アセンブリ（１０）。
【請求項６】
前記文字盤アセンブリ（１０）は、少なくとも１つの前記ブッシュ（６）を備えている１つの前記段違い部材（７）に適応した取り外し可能な構造体（７０）を備え、前記取り外し可能な構造体（７０）は、前記段違い部材（７）よりも剛性であり、前記段違い部材（７）に備わっている各前記ブッシュ（６）を位置決めして、前記ブッシュ（６）を１つの前記それぞれの足部（４）に嵌め込む作業をする間に前記ブッシュを保持できるように設けられ、前記取り外し可能な構造体（７０）は、軸方向の抵抗が嵌め込み力よりも小さい、摩擦または／および接着または／および磁場または静電場による保持手段を各前記ブッシュ（６）に備え、各前記ブッシュ（６）を嵌め込んだ後に前記取り外し可能な構造体（７０）を取り外せるようにし、前記文字盤を時計に挿入する間に前記文字盤アセンブリ（１０）から前記取り外し可能な構造体を取り外すことを特徴とする、請求項１に記載の文字盤アセンブリ（１０）。
【請求項７】
前記文字盤アセンブリ（１０）は、前記文字盤アセンブリ（１０）に備わっている全前記ブッシュ（６）を嵌め込むために設けられた取り外し可能な備品（２０）を備え、前記取り外し可能な備品（２０）は、前記足部（４）に備わっている下方支持部（４９）の向かい側に、前記下方支持部（４９）の支持ピン（２９）を備えていることを特徴とする、請求項１に記載の文字盤アセンブリ（１０）。
【請求項８】
前記文字盤アセンブリ（１０）は、少なくとも１つの文字盤足部（５）を備えていることと、前記取り外し可能な備品（２０）は、各々の前記文字盤足部（５）を最小の間隙で受け入れるための位置決め孔（２５）を含んでいることを特徴とする、請求項７に記載の文字盤アセンブリ（１０）。
【請求項９】
前記取り外し可能な備品（２０）は、少なくとも１つの上方ピストン（３０）のための案内手段を備え、前記上方ピストンは、前記足部（４）の軸方向に沿って可動式であり、１つの前記段違い部材（７）の前記ブッシュ（６）の全前記上方支持部（６９）に同時に押力をかけて前記ブッシュをそれぞれの足部（４）に嵌め込むために設けられることを特徴とする、請求項７に記載の文字盤アセンブリ（１０）。
【請求項１０】
前記上方ピストン（３０）は、前記文字盤アセンブリ（１０）に備わっている全前記段違い部材（７）の全前記ブッシュ（６）の全前記上方支持部（６９）に同時に押力をかけて前記ブッシュをそれぞれの足部（４）に嵌め込むために設けられることを特徴とする、請求項９に記載の文字盤アセンブリ（１０）。
【請求項１１】
請求項１に記載の少なくとも１つの文字盤アセンブリ（１０）を備えている時計（１００）。
【請求項１２】
前記時計（１００）は腕時計であることを特徴とする、請求項１に記載の時計（１００）。
【発明の詳細な説明】
【技術分野】
【０００１】
本発明は、上に足部が直接または間接的に固定されたベースプレートを備えている時計の文字盤アセンブリであって、上記文字盤アセンブリは３次元装飾体を支持し、３次元装飾体は、上記ベースプレートから離れた所にあって少なくとも１つの上記足部を介して上記ベースプレートに固定された少なくとも１つの段違い部材を備えている、文字盤アセンブリに関する。
【０００２】
本発明は、そのような文字盤アセンブリを少なくとも１つ備えている時計、特に腕時計にも関する。
【０００３】
本発明は、外面時計部分の部品の分野に係る。
【背景技術】
【０００４】
高級腕時計製造の分野では、腕時計または時計の外面部分が何よりも重要と考えられている。
【０００５】
標準の表示部品を強調させるために、時計によっては文字盤のベースプレートとガラスとの間に時計に特定の個性をもたらす装飾体を備えているものがあり、この装飾体には、場合によって、からくり、レリーフ状装飾体、またはこの両方を組み合わせたものなどがあり、一部のからくり時計にあるレリーフ状装飾体は、躍動感のある移動体のいくつかの位置を隠すことによってからくり動作の一部となり得る。この装飾体は、重力の作用で動いたり、懸架状態であったり、あるいは特定の軌道を巡回したりする部品も備えていることもある。装飾体によっては、ガラス、羽毛、真珠層、木材などの貴重であると同時に壊れやすい材料、あるいは透明効果を演出するための極めて繊細な材料で作製されているものがあり、そのような装飾部材の固定は特に複雑であり、とりわけこれらの装飾体が互いに重なり合って３次元状態に広がっている場合は複雑である。
【０００６】
ＢＲＥＧＵＥＴのスイス国特許第７１０７６９Ａ２号には、取り外し可能な部材を受け入れるハウジングを備えている構造が記載されている。この取り外し可能な部材は、動作位置で協働して、その構造または部材によって発生する磁場および／または静電場の作用による引力または斥力によってハウジングの受け入れ表面に直接または間接的に当接し、その際、この動作位置から離れたところで、この部材は、ハウジング内で場の方向に平行な方向に沿って移動可能であり、構造の当接表面とそれに相補する部材の当接表面との間の機械的な制限ストッパによって偏向が制限され、これはこの部材が直接取り外されることに対抗するものである。
【０００７】
ＣＯＲＥＤＥＭのスイス国特許第７００１４０Ａ２号には、ひげぜんまいに対する耐衝撃性ベアリングが記載されている。このベアリングは、オリーブ形に切り抜かれた偏心孔を有する単一の部材のみで形成されており、その孔の形状によって、ベアリングとひげぜんまい軸のピボットの筒状部との間の接触点は、ひげぜんまい軸の平面範囲および垂直範囲から最短の距離に置かれる。
【０００８】
ＣＨＡＴＥＬＡＩＮのスイス国特許第３４９７９Ａ号には、腕時計に適用されているからくりの支持機構が記載されており、この支持機構は、ムーブメントの固定部材上で回転してからくりを支持するように意図されたフィンガを備え、このフィンガの一方の端部は、フォークの２つの歯の間にわずかな遊びで係合し、このフォークの先端は、一方が脱進機のフォークのアームであり、もう一方がフォークと一体化したアームである。
【先行技術文献】
【特許文献】
【０００９】
【特許文献１】スイス国特許第７１０７６９Ａ２号
【特許文献２】スイス国特許第７００１４０Ａ２号
【特許文献３】スイス国特許第３４９７９Ａ号
【発明の概要】
【発明が解決しようとする課題】
【００１０】
本発明は、最も壊れやすい装飾部材をしっかりと確実に固定することと、正式な資格を有する時計製造職人がそれを組み立てられるようにすることとを対象とする。
【課題を解決するための手段】
【００１１】
そのために、本発明は、請求項１に記載の時計の文字盤アセンブリに関する。
【００１２】
本発明は、そのような文字盤アセンブリを少なくとも１つ備えている時計、特に腕時計にも関する。
【００１３】
本発明のその他の特徴および利点は、添付の図面を参照して以下の詳細な説明を読むことで明らかになるであろう。
【図面の簡単な説明】
【００１４】
【図１】本発明による文字盤アセンブリを備えている腕時計の概略正面図であり、文字盤は、断面が極めて小さい多数の部材が複数層の重なり合った平面沿いに分布している入り組んだ３次元装飾体を備え、中央部でからくりの基本装飾体としての役割を果たし、時刻表示は小さい文字盤上で行われ、小さい文字盤は、装飾部材と同様にベースプレートに対して段違いの高さにあり、同じく高価な材料で作製されている。
【図２】からくりの人物および針を取り外した後の図１の文字盤アセンブリの拡大詳細図であり、ベースプレートの上に、アップリケとして取り付けられた第１階層の装飾葉群と、木またはその他の植物形状のいくつかの段違いの装飾階層とを示している図である。
【図３】図２の文字盤アセンブリの概略側面図であり、文字盤アセンブリが、ベースプレートの下に文字盤足部を備え、ベースプレートの上に、装飾部材を支持している様々な長さの複数の足部を備えている図である。
【図４】文字盤アセンブリの軸と、ベースプレートの下側にねじ留めされたこれらの足部のうちの１つとを通る概略断面図である。
【図５】図４とほぼ同じ図だが、段違い装飾体に備わっているブッシュに同じ足部が覆われている図である。
【図６】このブッシュの概略斜視図である。
【図７】下方部でベースプレートが足部および位置決めピンを備えた状態で、図８に示した取り外し可能な備品と協働する様子を示している概略部分断面図であり、取り外し可能な備品は、文字盤アセンブリに備わり、ブッシュを足部に嵌め込む動作のためのみに使用され、この備品の孔が位置決めピンと同列にあり、かつ足部がこの備品の支持接触部と同列にある一方で、上方部で装飾部材は、ブッシュを備え、このブッシュが同じ足部と同列に予め配置され、図示していない使用者またはこの備品に備わっているピストンによって嵌め込まれようとしている図である。
【図８】取り外し可能な備品の図である。
【図９】様々な足部のハウジングを用いて植物装飾体を組み立てる前の文字盤アセンブリの下階層の概略正面図である。
【図１０】様々な足部のハウジングを用いて植物装飾体を組み立てる前の文字盤アセンブリの下階層の概略分解図である。
【図１１】図５とほぼ同じ図だが、可撓性の段違い装飾体を２つのブッシュに固定し、この２つのブッシュを取り外し可能な構造体を介してそのそれぞれの足部に取り付け、取り外し可能な構造体は、ブッシュを嵌め込んだ後にブッシュから取り外すために設けられるという本発明の一変形例を示す図である。
【図１２】取り外し可能な備品の概略側面図であり、上方部にピストンが設けられ、ベースプレートが備品上に配置され、段違い装飾体はブッシュがそのそれぞれの足部に嵌め込まれた状態で配置されているという一変形例の図である。
【発明を実施するための形態】
【００１５】
本発明は、時計１００の文字盤アセンブリ１０に関する。
【００１６】
この文字盤アセンブリは、以下の２つのサブアセンブリ：
−装飾体を固定する段階のみで使用され、時計には組み込まれない、取り外し可能な備品２０と、
−時計に組み込まれるように意図された従来の文字盤であって、装飾部材または／および表示部材をすべて支持するベースプレート１を備え、プレートの高さで、例えばベースプレート１に接続している連結部を介して、上に足部４が直接または間接的に固定される、文字盤と
を備えている。
【００１７】
本発明は、さらに詳細には、極めて繊細または極めて壊れやすい装飾体に対しても機械的保持手段を有効利用することによって、接着剤を用いずに装飾部材のアセンブリを製造することを対象とする。
【００１８】
この文字盤アセンブリ１０は３次元装飾体を備え、この３次元装飾体は少なくとも１つの段違い部材７を備え、この段違い部材は、ベースプレート１から離れた所にあって少なくとも１つの足部４を介してこのベースプレート１に固定される。
【００１９】
本発明によれば、少なくとも１つの上記段違い部材７は、少なくとも１つのブッシュ６またはパイプを備え、このブッシュは、ブッシュに備わっている上方支持部６９に当接させ、足部４に備わっている上方支持部４６に当接させ、この足部４に備わっている肩部４７に当接させて嵌め込まれるように設けられる。このブッシュ６は、上方支持部４６と協働するように設けられた盲孔または貫通孔６６と、肩部４７と協働するように設けられた直線状支持面６７とを含んでいることが好ましい。必須であるのは、ブッシュの上方支持部６９は、ブッシュを嵌め込む工具を支持するために容易に外れるということである。このブッシュ６には様々な形態を想定できる。孔６６は、図５のように盲孔であってもよいし、図７、図１１および図１２のように貫通孔であってもよい。貫通孔の形態では、足部４を取り付けた後に略貴石などの追加の装飾部材を嵌め込むことが可能になる。
【００２０】
特定の変形例では、少なくとも１つの段違い部材７が単一のブッシュ６を備えている。さらに詳細には、単一のブッシュ６を備えている少なくとも１つのそのような段違い部材７は、この単一のブッシュ６に対して片持ち梁風に固定される。実際にブッシュ６は十分な剛性を有しているため、片側で懸架した段違い部材７をそのように保持できる。
【００２１】
別の変形例では、図示したように、少なくとも１つの上記段違い部材７は、そのようなブッシュ６を複数備えている。さらに詳細には、各々の段違い部材７がいくつかのブッシュ６を備えている。
【００２２】
別の変形例では、図示したように、ブッシュ６を受けるために上方支持部４６および肩部４７を備えている少なくとも１つの足部４は、ベースプレート１に備わっている内ねじ山１４と協働するように設けられた外ねじ山４１、およびベースプレート１に備わっている相補型の制限ストッパ面１５０と制限ストッパとして協働するように設けられた支持面４５も備え、この支持面は、足部４に備わっている下方支持部４９の反対側にある。
【００２３】
別の変形例では、図１１に示したように、段違い装飾体７が過度に壊れやすいまたは過度に可撓性である場合、例えば羽毛、ワイヤ、花輪、懸架状態の移動体、またはワイヤで懸架された装飾部材、あるいは薄い水晶またはサファイアの装飾体などである場合、文字盤アセンブリ１０は、少なくとも１つのブッシュ６を備えているそのような段違い部材７に適応した取り外し可能な構造体７０を備え、この構造体は、例えばそのようなブッシュ６にリベット留めされるか嵌め込まれる。この取り外し可能な構造体７０は、段違い部材７よりも剛性であり、段違い部材７に備わっている各ブッシュ６を位置決めして、各ブッシュ６をそのそれぞれの足部４に嵌め込む作業をする間にブッシュを保持できるように設けられる。この取り外し可能な構造体７０は、軸方向の抵抗が嵌め込み力よりも小さい、摩擦または／および接着または／および磁場または静電場による保持手段を各ブッシュ６に備え、各ブッシュ６を嵌め込んだ後にこの取り外し可能な構造体７０を容易に取り外せるようにし、文字盤を時計に挿入する間に組み立て済みの文字盤アセンブリ１０から取り外し可能な構造体を取り外す。実際、２つのブッシュを隠すことができれば、本発明によるブッシュを固定することは、装飾体がそのような可撓性の物または壊れやすい物である場合によく適している。２つのブッシュを、取り外し可能な組立構造体７０、例えばブッシュどうしの正確な中心距離を有する板紙片またはプラスチックフィルム片と、例えば極めて弱性の接着剤を用いて、精巧に一体化させれば十分であり、７０と７と６と６とを組み合わせることを示している図１１の例では、ブッシュ６をその軸上のしかるべき場所に配置して嵌め込むことができれば正に十分である。接着による固定は嵌め込み力よりも小さくなるように意図されているため、取り外し可能な構造体７０を取り外すためにはこれを引っ張るだけでよく、装飾体７はブッシュ６に直接固定されている。
【００２４】
例えば、取り外し可能な構造体７０は、メッシュ製、板紙シート製または厚紙などであるブッシュを容易に配置するために、特に透明であるプラスチック材料で作製された剛性フィルムで形成されてよい。
【００２５】
本発明の有利な一特徴によれば、文字盤アセンブリ１０は、この文字盤アセンブリ１０に備わっている上記ブッシュ６を嵌め込むのに使用するために設けられた取り外し可能な備品２０を備えている。この備品は、この動作のためだけに使用され、文字盤を時計に挿入する間に組み立て済みの文字盤アセンブリ１０から取り外される。この取り外し可能な備品２０は、各足部４に備わっている下方支持部４９の向かい側に、制限ストッパとしてこの下方支持部４９と協働する支持ピン２９を備えている。
【００２６】
好ましくは、文字盤アセンブリ１０は、そのベースプレート１の高さに、少なくとも１つの文字盤足部５を備え、取り外し可能な備品２０は、各々のそのような文字盤足部５を最小の間隙で受け入れるための位置決め孔２５を含んでいる。
【００２７】
図７は、足部４および文字盤足部５、および取り外し可能な備品２０を備えているベースプレート１が協働する様子を示しており、この備品２０の孔２５は文字盤足部５と同列にあり、足部４はこの備品２０の支持ピン２９と同列にあり、一方、上方部では、ブッシュ６を備えている段違い装飾部材７は、同じ足部４と同列にあらかじめ配置され、嵌め込まれようとしている。
【００２８】
図１２は、少なくとも１つの上方ピストン３０のための案内手段を備えている取り外し可能な備品２０の一変形例を示し、この上方ピストンは、足部４の軸方向に沿って可動式であり、同じ段違い部材７のブッシュ６の全上方支持部６９に同時に押力をかけてブッシュをそれぞれの足部４に嵌め込むために設けられる。さらに詳細には、この上方ピストン３０は、文字盤アセンブリ１０に備わっている全段違い部材７の全ブッシュ６の全上方支持部６９に同時に押力をかけてブッシュをそれぞれの足部４に嵌め込むために設けられる。
【００２９】
本発明は、少なくとも１つのそのような文字盤アセンブリ１０を備えている時計１００にも関する。さらに詳細には、この時計１００は腕時計である。
【符号の説明】
【００３０】
１００  時計
１  ベースプレート
１０  文字盤アセンブリ
１４  内ねじ山
１５０  制限ストッパ面
２０  取り外し可能な備品
２５  位置決め孔
２９  支持ピン
３０  上方ピストン
４  足部
４１  外ねじ山
４５  支持面
４６  上方支持部
４７  肩部
４９  下方支持部
５  文字盤足部
６  ブッシュ
６６  盲孔または貫通孔
６７  直線状支持面
６９  上方支持部
７  段違い部材
７０  取り外し可能な構造体
【図１】
2018100964.tif 000003
【図２】
2018100964.tif 000004
【図３】
2018100964.tif 000005
【図４】
2018100964.tif 000006
【図５】
2018100964.tif 000007
【図６】
2018100964.tif 000008
【図７】
2018100964.tif 000009
【図８】
2018100964.tif 000010
【図９】
2018100964.tif 000011
【図１０】
2018100964.tif 000012
【図１１】
2018100964.tif 000013
【図１２】
2018100964.tif 000014